(57)【要約】【課題】ガラス枠に取り付けられるガラスユニットを容易に解体できるようにし、また再利用可能な状態で回収できるようにした弾球遊技機を提供する。【解決手段】遊技盤２０に対向するガラス枠４に取り付けられるガラスユニット４００において、対向する２枚の透明板４１０ａ、４１０ｂ相互間の内側空間４１０ｃを気密にする逆止弁４０７を設ける。解体の際には、逆止弁４０７を介して内側空間４１０ｃ内にエア圧を付加することにより、外枠部材４０１の両側に接着した各透明板４１０ａ、４１０ｂを容易に剥離して分離することができる。【選択図】図８
2007236792.tif 000002
【特許請求の範囲】
【請求項１】
遊技盤に対向するガラス枠と、前記ガラス枠の裏面側に取り付けられ、開口を有する外枠部材の当該開口内縁部各側に透明板の周縁をそれぞれ接着して対向配設したガラスユニットとを備える弾球遊技機であって、
前記ガラスユニットは、対向する２枚の前記透明板で画成される内側空間を常時は閉鎖状態にして気密にする開閉弁が設けられるとともに、前記開閉弁を開放状態にして前記内側空間にエア圧を付加することにより前記外枠部材から前記各透明板を離脱解体し得るようにしたことを特徴とする弾球遊技機。
【発明の詳細な説明】
【技術分野】
【０００１】
本発明は、遊技盤に対向するガラス枠に取り付けられるガラスユニットを容易に解体し得るようにした弾球遊技機に関する。
【背景技術】
【０００２】
例えば弾球遊技機の一つであるパチンコ機は、矩形縦長の外郭枠である木枠内に、ゲージや入賞口等が形成された遊技盤がプラスチック製の前枠を介して収容固定されるとともに、前記遊技盤に対向して透明板からなるペアガラスが取り付けられたガラス枠がヒンジ部材によって開閉可能に装着されている。
【０００３】
パチンコ機は、発射ハンドルの回動操作に応じて遊技球を遊技盤へ打ち出しながら遊技を行うもので、遊技盤に設けられたチャッカー等の入賞口へ遊技球が入球することにより、所定数の遊技球を賞球として皿ユニットへ払い出すよう構成されている。
【０００４】
ところで、遊技盤に対向する上述のペアガラスを構成するガラスユニットは、例えばＡＢＳ樹脂からなるフレーム（外枠部材）に２枚の透明なガラス板が対向して接着されて形成され、ガラス枠の裏面側に着脱回動可能に取り付けられている（例えば特許文献１参照）。
【０００５】
【特許文献１】特開２００４−２２２８６５号公報
【発明の開示】
【発明が解決しようとする課題】
【０００６】
近年、リサイクル法が施行されてから、遊技機の分野においても再利用を推進し廃棄物を低減することへの要請が高まっている。
【０００７】
しかし、弾球遊技機に用いられる従来のガラスユニットは、ガラス枠からは容易に取り外しが可能であるものの、２枚のガラス板がフレーム（外枠部材）に強固に接着された構造を有しているため、これらを再利用するため分別解体するには手間の掛かる煩雑な作業を要していた。
【０００８】
本発明は、こうした従来の問題に鑑みてなされたものであり、ガラス枠に取り付けられるガラスユニットを容易に解体できるようにし、また樹脂やガラス等の素材を再利用可能な状態で回収できるようにした弾球遊技機を提供することを目的としている。
【課題を解決するための手段】
【０００９】
上述した課題を解決するため、請求項１に記載の発明は、遊技盤に対向するガラス枠と、前記ガラス枠の裏面側に取り付けられ、開口を有する外枠部材の当該開口内縁部各側に透明板の周縁をそれぞれ接着して対向配設したガラスユニットとを備える弾球遊技機であって、前記ガラスユニットは、対向する２枚の前記透明板で画成される内側空間を常時は閉鎖状態にして気密にする開閉弁が設けられるとともに、前記開閉弁を開放状態にして前記内側空間にエア圧を付加することにより前記外枠部材から前記各透明板を離脱解体し得るようにしたことを特徴とする。
【００１０】
請求項１に記載の弾球遊技機によれば、ガラスユニットを解体するに際し、対向する２枚の透明板で画成される内側空間を気密にする開閉弁を開放状態にし、これを介して内側空間にエア圧を付加する。その結果、内側空間内の気圧が上昇し、各透明板に対し外枠部材から剥離させる外方に圧力が作用する。これにより、透明板を外枠部材から離脱させ容易に解体することができる。
【発明の効果】
【００１１】
本発明の弾球遊技機によれば、ガラス枠に取り付けられるガラスユニットを作業性良く容易に解体することができ、ガラスや樹脂等の素材をそれぞれ再利用（リサイクル）することができる。また、各透明板、外枠部材等を破壊しないで分離回収するので、これらの部材を再使用（リユース）することもできる。
【発明を実施するための最良の形態】
【００１２】
以下、本発明の好適な一実施形態として弾球遊技機の代表例であるパチンコ機をとりあげ、その構成について図面を参照しながら説明する。ここで、図１は実施形態によるパチンコ機１の外観構造を表す正面図である。図２はガラス枠４及び上球皿ユニット５を開放した状態におけるパチンコ機１の内部構造を表した図であって、主に遊技盤２０と前枠３の前面側構造を表している。更に、図３は遊技盤２０を取り外してガラス枠４を開放した状態におけるパチンコ機１の分解斜視図、図４はパチンコ機１の背面図、図５は各種電子回路基板及びカバー部材等を取り外した状態におけるパチンコ機１の背面構造を表した図である。
【００１３】
パチンコ機１は、本体を遊技島へ固定保持するための外郭枠となる矩形縦長の木枠２と、当該木枠２に対してヒンジ部材３ａにより開閉可能に装着され、通常時には木枠２の前側の開口を閉鎖する前枠３とを備えている。前枠３の前面側には、透明な２枚のガラス板から形成されペアガラス４１０と称される透明板が取り付けられたガラス枠４と、硬質プラスチックでそれぞれが一体形成された上球皿ユニット５と下球皿ユニット７とが前枠３に開閉可能に装着されている。
【００１４】
なお、前枠３内には、前枠３を木枠２側へ閉めることで自動的に施錠し、且つ、上球皿ユニット５及び下球皿ユニット７とともにガラス枠４を前枠３側へ閉めることでも自動的に施錠する図示しない施錠装置が設けられ、前枠３の前面右方部に形成されている鍵穴６に所定の鍵を挿入して開錠操作をすることにより、これらを開放することができるようになっている。
【００１５】
また、前枠３の前面であってガラス枠４の裏面部分と対向する一カ所にガラス枠開放スイッチ４２が設けられている。ガラス枠開放スイッチ４２は、ガラス枠４が前枠３に対して閉鎖されると押圧された状態でオフ動作し、ガラス枠４が開放されるとオン動作することで、ガラス枠４の閉鎖及び開放状態を検知する。
【００１６】
はじめに、図１〜図３を参照して、パチンコ機１の前面側構造を詳細に説明する。
【００１７】
ガラス枠４の前面上部には、高輝度の発光ダイオード等のランプ類を内蔵する演出用照明部４ａが配設されている。なお、演出用照明部４ａは、例えばガラス枠４の開放エラー等を光で報知するための報知ランプとしても機能する。
【００１８】
ガラス枠４の下方において前枠３に開閉可能に設けられる上球皿ユニット５には、払い出された遊技球（賞球や貸球）を貯留して整列させる上皿部５ａが形成されている。そして、上皿部５ａの右方部には、上皿部５ａに貯留されている遊技球を下球皿ユニット７の下皿部７ａへ排出させる操作を行うための球抜きレバー８が設けられている。
【００１９】
上球皿ユニット５の前面左方部には、パチンコ機１のゲームに係る効果音又は遊技の進行を音声で案内するためのスピーカ１１を備える演出用放音部５ｃが配設されている。
【００２０】
上球皿ユニット５の下方に設けられる下球皿ユニット７には下皿部７ａが形成され、球抜きレバー８が操作されることで上球皿ユニット５から球抜きされた遊技球又は上球皿ユニット５から溢れた遊技球が球出口７ｂを介して下皿部７ａへ排出される。
【００２１】
下球皿ユニット７の前面右方部には、上皿部５ａに貯留された遊技球を遊技盤２０へ向けて打ち出す操作をするための発射ハンドル９が配設されている。発射ハンドル９は、内蔵するバネによって反時計回りに常時付勢される回動操作部９ａを有し、遊技者が回動操作部９ａに触れながら付勢力に抗して回動操作部９ａを時計回りに回動操作すると、球発射装置５０が作動して回動操作部９ａの回動角度に応じた打撃力で遊技球が遊技盤２０に打ち出されるようになっている。
【００２２】
前枠３は、木枠２と略同一寸法形状の枠部と、枠部の内側において球通路等とが一体的に形成された硬質プラスチック製の裏セット盤３０からなり、ガラス枠４と対向する裏セット盤３０の略中央には、遊技盤２０を着脱可能に収容するための開口部である遊技盤収容部３１が形成されている。
【００２３】
なお、遊技盤２０は、中央に略円形の開口部を有するプラ枠２５に当該開口部を塞ぐように取り付けられ、プラ枠２５の縁部が複数の係合レバー１０により前枠３の裏面側において固定保持されている（図４、図５参照）。
【００２４】
また、ガラス枠４が前枠３側へ閉じられた状態では、ガラス枠４に取り付けられる透明なペアガラス４１０が遊技盤２０の盤面に対して所定の間隔で対向し、これら対向配置されたペアガラス４１０と盤面とにより、遊技球を転動落下させる遊技領域空間が画成される。
【００２５】
なお、図３に示されるように、ペアガラス４１０をユニット化したガラスユニット４００が、ガラス枠４の裏面側において開口部４ｂを塞ぐように着脱回動可能に取り付けられる。また、ガラスユニット４００は、解体が容易に形成され、その詳細な構造については後述する。
【００２６】
遊技盤２０は、所定板厚の積層合板の表面に絵柄が描かれたセルが貼り付けられて盤面が形成され、その左側（ガラス枠４がヒンジ結合する側）周部に、ステンレス鋼板等からなる帯状の外レール７１が取り付けられている。また、外レール７１に沿って発射路面を挟むように、所定長さの内レール７２が遊技盤２０の盤面に突出して設けられている。そして、内レール７２よりも更に内側の盤面領域がパチンコ遊技の遊技領域となっている。
【００２７】
この遊技領域として画される遊技盤２０の盤面には、複数の釘が所定の配列パターンで打設されたゲージが形成されており、遊技盤２０へ発射された遊技球が複数の釘に衝突しながら偶発的にその方向を変えて遊技領域空間内を落下するように構成されている。
【００２８】
また、遊技盤２０の盤面には、入賞口に遊技球が入球することで入賞となるチャッカー２１と、同じく入賞口に入球することで大当たり等の特別遊技状態への抽選を起動させる始動チャッカー２２と、特別遊技状態において一定時間又は一定数の遊技球が入球するまで開放し遊技球が入ると通常よりも多くの賞球を払い出すアタッカー２３等の入賞役物が適宜の位置に配置されている。
【００２９】
チャッカー２１の入賞口には、入球した遊技球を検出する入賞球センサが取り付けられている。この入賞球センサは、例えば、磁気的、光学的、電気的手段等により遊技球の通過を非接触に検出する近接センサから形成される。
【００３０】
始動チャッカー２２は、いわゆる電動チューリップ構成の入賞役物であり、左右の羽部材を開閉させることで、ここへの入賞の確率を変動させることができるように構成されている。なお、この始動チャッカー２２の入賞口内にも上述したチャッカー２１と同様の入賞球センサ（始動口入賞球センサ）が設けられ、始動チャッカー２２への入球が検出されると、パチンコ機１の後述する主制御基板６０は、例えばアタッカー２３を開いて大当たり（確変当たり）等の通常よりも有利な条件でゲームができる特別遊技状態へ移行する抽選を行う。
【００３１】
遊技盤２０の盤面略中央には、液晶表示ユニット５３を透視可能とするとともに例えばセンター役物を構成する飾り部材２８が設けられている。上述の抽選した結果は、液晶表示ユニット５３によって表示され、例えば特定の図柄を揃えて表示することで大当たり等の特別遊技状態への当選を演出する。
【００３２】
アタッカー２３は、中央に横長方形状の開口からなる大入賞口を有し、この大入賞口をソレノイド（大入賞口ソレノイド）により開閉可能とする開閉扉が取り付けられている。通常遊技状態においてはこの開閉扉は閉じられ、上述の始動チャッカー２２への入球の際に行われる抽選の結果、大当たり等の特別遊技状態が成立したときに開閉扉が前方に倒され開放する。
【００３３】
なお、アタッカー２３の大入賞口へ遊技球が落入することにより、他の入賞役物よりも多くの遊技球が払い出される。このため、特別遊技状態においては、遊技者は通常よりも高い入賞確率でゲームを行うことができる。なお、大入賞口内には、左右に二つの入賞口が設けられ、いずれか一方の入賞口が特別領域を形成し、例えば大当たり当選時には、この特別領域の入賞口へ遊技球が落入する限り継続して予定される最大回数まで特別遊技状態を続けることができる。なお、アタッカー２３のそれぞれの入賞口においても、チャッカー２１と同様の近接センサからなる入賞球センサ及び特定領域入賞球センサが設けられている。
【００３４】
遊技盤２０の盤面下方部には、何れの入賞口に入球せずに落下したアウト球を集合して排出させるアウト口２４が設けられている。
【００３５】
遊技盤２０が取り付けられる前枠３の下方部には、遊技補助盤２０ａが形成され、その右方部に球発射装置５０が設けられている。球発射装置５０は、発射ハンドル９の回動操作に応じて、上球皿ユニット５の上皿部５ａに貯留されている遊技球を１球ずつ遊技盤２０の遊技領域へ打ち出す装置である。
【００３６】
球発射装置５０は、打撃ハンマ５０２のアームが球発射モータ５０１に連結しており、球発射モータ５０１を駆動することで、打撃ハンマ５０２の槌部が回動して遊技球を打撃し発射させる。
【００３７】
また、遊技補助盤２０ａには、球発射装置５０の打撃ハンマ５０２と位置整合して遊技球を遊技領域の外レール７１に向けて発射する発射レールや、演出効果音を発生するスピーカ１１等が取り付けられている。なお、遊技補助盤２０ａは上球皿ユニット５の裏側に位置し、常には閉鎖状態に保持される上球皿ユニット５によりその表面側が覆われている。
【００３８】
次に、図４及び図５を参照してパチンコ機１の裏面側の構造を説明する。
【００３９】
前枠３の裏面側には、賞球払出装置５２等の各種機器が取り付けられた裏セット盤３０が係合レバー１０を介して着脱可能に取り付けられている。なお、裏セット盤３０には、予備賞球が貯留される予備球タンク５１が上部に取り付けられ、予備球タンク５１から賞球払出装置５２へ予備賞球を案内する予備賞球通路３２と、賞球払出装置５２から払い出された賞球又は貸球を上球皿ユニット５の上皿部５ａ又は下球皿ユニット７の下皿部７ａへ案内する賞球通路３３と、入賞口へ入球した遊技球及びアウト口２４を介して回収されたアウト球を集合させて下方の遊技施設側の球回収タンク（図示略）へ排出させる球排出通路３４等の球通路が形成されている。
【００４０】
なお、遊技盤２０の裏面側には所定間隔をおいて裏カバーが固定され、各入賞口へ落入した遊技球が、遊技盤２０の裏面と当該裏カバーとの間に形成される球集合樋を通って落下する。そして、遊技盤２０の裏面側から落下した遊技球とアウト口２４から排出されたアウト球とが合流し、これら遊技済み球が裏セット盤３０に形成されている球排出通路３４を通って球回収タンクへと回収されるように形成されている。
【００４１】
図５に示されるように、上下のヒンジ部材３６で前枠３に開閉可能に取り付けられる裏セット盤３０は、常には閉鎖レバー３７を介して遊技盤２０の裏面側に閉鎖保持される。
【００４２】
裏セット盤３０の上部に形成される予備賞球通路３２は、予備球タンク５１に接続し賞球払出装置５２側へ緩やかに下り傾斜する傾斜樋部３２１と、略Ｓ字状に屈曲するＳ字レール部３２２とに概ね区分けされる。
【００４３】
傾斜樋部３２１の底面には、遊技球が流下する方向に沿ってリブ状の仕切り壁が中央に設けられ、これにより２列の球通路が形成されている。また、傾斜樋部３２１内に突出して、球均し部材が遊技球の流下方向に沿って回動自在に吊り下げられている。かかる構成により、傾斜樋部３２１の底面から一定高さ以上で流下する遊技球（予備賞球）は、球均し部材に衝突ながら移動することでほぼ均一に均され、リブ状の仕切り壁によって２列に整列して効率良くＳ字レール部３２２へと転送される。Ｓ字レール部３２２は、下方に向かいながら二段に屈曲する球通路から形成され、これにより、予備賞球通路３２内に積み重ねられて待機する遊技球が賞球払出装置５２に与える重圧を緩和している。
【００４４】
傾斜樋部３２１の終端近傍には、必要に応じてこの球通路を手動で閉鎖し予備賞球の流れを停止可能とする球止め機構３８と、賞球払出装置５２が払い出すべき予備賞球が充分にＳ字レール部３２２内に保持されているか否か検出する球切れスイッチ３９が取り付けられている。また、球切れスイッチ３９の上部には、擬似的にＳ字レール部３２２内の球有り状態を作り出す、疑似球有り状態創出機構４０が設けられている。
【００４５】
また、傾斜樋部３２１の終端近傍には、Ｓ字レール部３２２よりも上流側に待機する予備賞球を球抜き通路３５を介してパチンコ機１の機外へ強制的に排出させる球抜きゲート４３が回動可能に形成されている。つまり、球抜き操作レバー４４を後方へ傾倒操作すると、これに連動して球抜きゲート４３が開き、傾斜樋部３２１内の予備賞球を球抜き通路３５側へ導くように構成されている。
【００４６】
予備賞球通路３２のＳ字レール部３２２に接続して賞球払出装置５２が取り付けられている。賞球払出装置５２は、上部中央にＳ字レール部３２２の終端に繋がって予備賞球を受容する受容口と、下部の左右に賞球及び貸球をそれぞれ賞球通路３３へ払い出す払出口が設けられるとともに、ケース部材内部に前後二段のインペラと、これらインペラを回転させる球払出モータ等を有している。そして、所定条件のもと払出制御基板６２から出力される払出指令信号に従って球払出モータを作動させ、インペラを時計回り又は反時計回りに回転させて、払出指令信号に基づく数量の遊技球（賞球又は貸球）を右又は左の払出口から賞球通路３３へ払い出す。なお、左右の払出口にはカウントセンサが設けられ、払い出された遊技球をカウントセンサが検出している。
【００４７】
賞球通路３３は、上球皿ユニット５の上皿部５ａへ通じる上球皿通路部３３１と、下球皿ユニット７の下皿部７ａへ通じる下球皿通路部３３２とを有して形成されている。両通路部は、賞球通路３３のほぼ下半分を閉塞するように設けられた仕切り壁３３３によって略区分けされ、仕切り壁３３３よりも上部ではそれぞれ連通して賞球払出装置５２の払出口に接続している。
【００４８】
すなわち、仕切り壁３３３に隣接する上流位置に、上球皿通路部３３１の入口である上球皿通路口３３４が開口して形成されており、賞球払出装置５２から払い出された遊技球が上球皿通路口３３４から入り、上球皿通路部３３１を落下して上球皿ユニット５の上皿部５ａへ払い出されるようになっている。
【００４９】
一方、下球皿通路部３３２の入口付近には、仕切り壁３３３の上方位置において左下方へ若干傾斜する直線状の迂回溝３３５が、裏セット盤３０の壁面と、賞球通路３３の他方の壁面を形成する図示していないカバー部材とにそれぞれ開口して形成されている。すなわち、上球皿ユニット５に貯留する遊技球が満杯になり仕切り壁３３３の上端まで遊技球が充満すると、新たに賞球払出装置５２から払い出された遊技球が、仕切り壁３３３で堰き止められて充満した遊技球を乗り越えて下球皿通路部３３２へ溢れ出るとともに、仕切り壁３３３の上方の迂回溝３３５を通って効率良く下球皿通路部３３２へ流下する。
【００５０】
なお、下球皿通路部３３２の出口には、遊技補助盤２０ａの下部に設けられた球バケット３３６が接続している。また、球バケット３３６の前方下部が下皿部７ａの球出口７ｂと連通している。これにより、下球皿通路部３３２を流下して球バケット３３６へ至った賞球が、前面の球出口７ｂを通って下球皿ユニット７の下皿部７ａへ排出される。
【００５１】
また、球バケット３３６の上面前部の開口は、遊技補助盤２０ａと下球皿ユニット７との間に形成されている球集合通路（図示略）と接続している。この球集合通路は、上球皿ユニット５の上皿部５ａの球抜き口と繋がっており、球抜きレバー８が操作されたときこの球抜き口が開放し、上皿部５ａに貯留された遊技球が、球抜き口から球集合通路及び球バケット３３６を通って下球皿ユニット７の下皿部７ａへ排出されるように形成されている。
【００５２】
更に、球集合通路は、ファール球を回収するファール球回収通路その他のこぼれ球を回収する球回収通路とも連通し、これら球回収通路によって回収された遊技球も球バケット３３６を介して下球皿ユニット７の下皿部７ａへ排出されるようになっている。
【００５３】
球排出通路３４は多段に形成された屈曲部を有し、その上端は、裏セット盤３０が前枠３に閉鎖された状態において、遊技盤２０の裏面側に設けられる裏カバーに形成された球集合樋の終端とアウト口２４とに接続される。これにより、各入賞口へ入球し球集合樋に集められた遊技球とアウト口２４に入球したアウト球が、球排出通路３４に受容され各屈曲部に衝突することで、速度が緩和されながら終端に開口する球排出口３４１へと落下する。
【００５４】
そして、球排出口３４１から排出されたこれら遊技済みの遊技球が、図示しない遊技島側のダクト（ジャバラ）を介して球回収タンクへと回収される。
【００５５】
なお、上述した予備賞球通路３２、賞球通路３３、球排出通路３４、球抜き通路３５等を塞ぐように図示しない一体のカバー部材が裏セット盤３０の裏面側に取り付けられることで、各球通路の背面壁が形成される。
【００５６】
図４に示されるように、裏セット盤３０には、パチンコ機１の動作を統括的に制御する主制御基板６０と、スピーカ１１及び発光ダイオード等を駆動して音と光による演出制御を行うサブ制御基板６１と、賞球及び貸球の払出し制御を行う払出制御基板６２と、球発射装置５０と発射ハンドル９の制御基板として機能する発射制御基板６７と、電源装置基板６３と、複数のコネクタが取り付けられて制御信号や電力の中継を行う遊技盤中継基板６４と、パチンコ機１の稼働状態若しくは遊技機情報をホール（遊技店舗）の中央の管理機器である例えばホールコンピュータへ出力するための外部端子基板６５と、液晶表示ユニット５３による画像表示を制御する画像制御基板６６等が取り付けられ、これら各種機器及び電子回路基板がワイヤーハーネス等で電気的に接続される。
【００５７】
これらパチンコ機１に設けられる制御基板によって制御される各種機器の動作について次に説明する。
【００５８】
主制御基板６０は、演算装置としてのＣＰＵと半導体メモリであるＲＯＭ、及びＲＡＭ等の電子部品が搭載されており、ＲＯＭに予め記憶されているシステムプログラムに従ってＣＰＵが入賞役及び演出の抽選等の演算処理を実行してパチンコ遊技が展開される。また、主制御基板６０には、サブ制御基板６１と、払出制御基板６２と、遊技盤中継基板６４等の各制御基板がワイヤーハーネスで接続され、これら制御基板へ指令信号を送信して各制御基板に分散制御を行わせることによりパチンコ機１全体を統括制御している。
【００５９】
ここで、サブ制御基板６１は、主制御基板６０からの演出制御信号に従い、画像制御基板６６を介して液晶表示ユニット５３に図柄等の画像を表示させる制御と、スピーカ９に対して演出効果音を鳴動させる制御と、演出用照明部４ａ等のランプ類を点灯・点滅させる制御等を行っている。
【００６０】
なお、画像制御基板６６は、圧縮された画像データを記憶するＲＯＭ、及びフレームメモリ又はビデオＲＡＭ等を有するビデオ信号処理回路（ＶＤＰ：Video Display Processor）を搭載し、液晶表示ユニット５３に対し主制御基板６０の指令信号に基づく各種演出映像を表示させる制御を行う。
【００６１】
また、主制御基板６０には、チャッカー２１及び始動チャッカー２２等に設けられている入賞球センサが遊技盤中継基板６４を介して接続され、主制御基板６０のＣＰＵがこれらの作動を検出すると、所定数の賞球を払い出すべき旨の指令信号を払出制御基板６２へ送出する。また、主制御基板６０は、始動チャッカー２２の始動口入賞球センサの作動を検知すると、ハードウエア抽選回路を起動して入賞役の抽選を行う。このとき、主制御基板６０は、サブ制御基板６１に対し演出制御信号を送出することで、飾り部材２８に設けられた液晶表示ユニット５３に複数図柄を変動表示させたり、演出用放音部５ｃのスピーカ１１に入賞に係る効果音を発生させたり、演出用照明部４ａを点灯又は点滅等させることで、入賞への期待を高める演出を行っている。
【００６２】
なお、大当たり等の入賞役が当選すると、主制御基板６０は特別遊技状態へ遊技の処理を移行させ、遊技盤中継基板６４を制御して大入賞口ソレノイドを作動し一定の要件下においてアタッカー２３の開閉扉を開放させる。これにより、特別遊技状態ではアタッカー２３への入球が可能となり、主制御基板６０は、アタッカー２３内に設けられている入賞球センサ又は特定領域入賞球センサが入賞口への入球を検出する毎に、所定数の賞球を払い出すべき旨の指令信号を払出制御基板６２へ送出する。
【００６３】
払出制御基板６２には、賞球払出装置５２の球払出モータと、カウントセンサとが接続されている。払出制御基板６２は、主制御基板６０から所定数の賞球を払い出すべき旨の指令信号を受信すると、賞球払出装置５２の球払出モータを作動して、実際に払い出された賞球をカウントセンサがカウントしながら所定数の賞球の払い出しを行っている。
【００６４】
更に、払出制御基板６２は、外部端子基板６５を介して予備球タンク５１に設けられる球切れスイッチ３９からの球切れ検出信号を入力し、予備球タンク５１及び予備賞球通路３２内の球切れ状態が所定時間以上継続しているときには、賞球払出装置５２の作動を停止するように制御している。
【００６５】
また、払出制御基板６２には、下皿満タンスイッチが接続され、下球皿ユニット７の下皿部７ａに保持される遊技球が満杯になった状態を下皿満タンスイッチが検出すると、仮に発射ハンドル９が操作されていても発射制御基板６７が球発射装置５０の作動を規制する。これにより、下球皿ユニット７が満杯の状態のときには遊技を中断させて、新たに払い出された賞球等が下皿部７ａから溢れるのを防止している。
【００６６】
発射制御基板６７は、発射ハンドル９の操作に応じて球発射装置５０の動作を制御する制御基板であり、発射ハンドル９に内蔵されるタッチセンサと、ポテンショメータと、停止スイッチと、球発射装置５０の球発射モータ５０１等が接続されている。
【００６７】
発射ハンドル９に設けられるタッチセンサは、例えば静電容量型のセンサから形成され、遊技者等が発射ハンドル９の回動操作部９ａを触れている間、検出信号（オン信号）を発射制御基板６７へ送出する。ポテンショメータは、回動操作部９ａが回動操作された回転角度に応じて電気抵抗が変化する。このため、例えば一定の電流をポテンショメータに供給することで、発射ハンドル９の回動操作量に応じた電圧信号を発射制御基板６７は得ることができる。停止スイッチは、遊技球の打ち出しを停止させるために発射ハンドル９に設けられた押圧式のスイッチである。
【００６８】
発射制御基板６７は、遊技者等が発射ハンドル９に触れタッチセンサがこれを検出している間、ポテンショメータにより検出される回動操作部９ａの回動角度に応じたトルクで球発射装置５０の球発射モータ５０１を作動させる。これにより、発射ハンドル９の回動操作量に応じた打撃力で遊技球を遊技盤２０へ打ち出す。
【００６９】
また、発射制御基板６７は、発射ハンドル９の停止スイッチの作動を検出すると、その間は遊技者等が発射ハンドル９に触れていても球発射モータ５０１の作動を規制する。また、発射制御基板６７は、払出制御基板６２に接続される下皿満タンスイッチが下皿部７ａに保持される遊技球の満杯状態を検知した場合も、球発射装置５０の作動を規制してゲームを中断させる。
【００７０】
外部端子基板６５は、ホールの例えばホールコンピュータと配線ケーブルで接続され、該ホールコンピュータに対し当該パチンコ機１の稼動状態等を報知するための出力端子基板として主に機能する。
【００７１】
外部端子基板６５には、上述した主制御基板６０及び払出制御基板６２等が接続され、これらの制御基板から当該パチンコ機１における現在の遊技機情報である例えば大当たり（特別遊技）状態、賞球払出装置５２の作動状態（遊技球の払い出し中か否か）等の情報を取得して、上述したホールコンピュータへ出力し報知する。
【００７２】
次に、かかるパチンコ機１のガラス枠４の裏面側に着脱回動可能に取り付けられるガラスユニット４００について説明する。ここで、図６はガラスユニット４００の分解斜視図、図７はガラスユニット４００の除湿部４０２付近の一部断面図、
図６に参照されるように、ガラスユニット４００は、対向する２枚の透明なガラス板である透明板４１０ａ、４１０ｂと、各透明板４１０ａ、４１０ｂの間に介在しこれらの周縁を囲むように開口４０１ａを有する外枠部材４０１とから構成されている。
【００７３】
外枠部材４０１は、開口４０１ａの内縁に沿って各透明板４１０ａ、４１０ｂの全周を接着するための接着部４０１ｂと、一方側の外縁部にガラス枠４に対し回動可能に取り付けるためのヒンジ軸部４０５と、他方側の外縁部にガラス枠４に対しネジ止め固定するための取付ブラケット部４０６と、上方側の外縁部に除湿部４０２等とを有して、例えばＡＢＳ樹脂により一体成形されている。
【００７４】
ガラスユニット４００は、外枠部材４０１の開口４０１ａ内縁部に形成された接着部４０１ｂの両側面に当接して、各透明板４１０ａ、４１０ｂの全周縁が接着剤を介して接着されている。これにより、２枚の透明板４１０ａ、４１０ｂが所定量だけ離間して対向するペアガラス４１０が配設されるとともに、各透明板４１０ａ、４１０ｂ相互間に内側空間４１０ｃが画成されることとなる。
【００７５】
また、図７に示されるように、外枠部材４０１の上部に形成された除湿部４０２には、複数の通気孔４０４を介してペアガラス４１０の内側空間４１０ｃと連通する乾燥剤収容部４０８が形成されている。乾燥剤収容部４０８は、適宜数の乾燥剤が配置されるとともに蓋部材４０９によって閉塞されている。このため、内側空間４１０ｃ内は気密性を有して除湿され、これにより、外部において温度、湿度等の変動があっても、ペアガラス４１０には結露や曇り等が発生することなく良好な視認性が確保される。
【００７６】
更に、除湿部４０２においては、一定以上の差圧で加圧したときにエア（空気）を注入可能なチューブタイプの逆止弁（開閉弁）４０７が、内側空間４１０ｃに連通するバルブ孔４０３にシールされて取り付けられている。
【００７７】
図８を参照し、かかる構成のガラスユニット４００を解体する方法について説明する。ガラスユニット４００をガラス枠４より取り外した後、逆止弁４０７の注入口に加圧ノズルＶＩをセットし、所要の圧力ＰＡでエアを注入加圧することで逆止弁４０７が開き、加圧されたエアがペアガラス４１０の内側空間４１０ｃへ注入される。これにより、内側空間４１０ｃ内の気圧が上昇し、各透明板４１０ａを外枠部材４０１から外方へ押し出す圧力が作用する。
【００７８】
更に、注入加圧力を増加させるか若しくは加圧状態を継続することにより、接着力が弱い方の透明板が外枠部材４０１の接着部４０１ｂから剥離、離脱する。そして、他方の透明板については、外枠部材４０１の開口４０１ａ内側より機械的な外力で押し出して剥離させる。
【００７９】
このようにして、ガラスユニット４００を容易に解体できるため、ガラスや樹脂等の素材をそれぞれ再利用（リサイクル）することができる。また、各透明板４１０ａ、４１０ｂ、外枠部材４０１等を破壊しないで分離することができ、これらの部材を再使用（リユース）することもできる。
【００８０】
なお、上述した開閉可能な逆止弁４０７としては、開操作機能付きのポペット弁（チェック弁）を用いてもよい。この実施形態において、ペアガラス４１０の内側空間４１０ｃへ外気が入らない向きに逆止弁４０７を設定すれば、内側空間４１０ｃ内を比較的低圧状態（略真空状態）にして、外気との差圧により各透明板４１０ａ、４１０ｂを外枠部材４０１に吸着保持して用いることができる。
【００８１】
そして、ポペット弁を開放して外気を内側空間４１０ｃに導入し、若しくは内側空間４１０ｃを若干加圧することで、容易に透明板４１０ａ、４１０ｂを外枠部材４０１から離脱、解体することができる。
【図面の簡単な説明】
【００８２】
【図１】本発明の一実施形態によるパチンコ機の外観構造を表した正面図である。
【図２】図１に示したパチンコ機のガラス枠及び上球皿ユニットを開放した状態において内部構造を表した図である。
【図３】図１に示したパチンコ機の遊技盤を取り外してガラス枠を開放した状態における分解斜視図である。
【図４】図１に示したパチンコ機の背面図である。
【図５】図１に示したパチンコ機の各種電子回路基板等を取り外した状態における背面図である。
【図６】図１に示したパチンコ機に備えられるガラスユニットの分解斜視図である。
【図７】図６に示したガラスユニットの除湿部付近の一部断面図である。
【図８】図６に示したガラスユニットの解体方法を表した縦断面図である。
【符号の説明】
【００８３】
１…パチンコ機                              ２…木枠
３…前枠                                    ３ａ…ヒンジ部材
４…ガラス枠                                ４ａ…演出用照明部
５…上球皿ユニット                          ５ａ…上皿部
５ｃ…演出用放音部                          ７…下球皿ユニット
９…発射ハンドル                            ９ａ…回動操作部
２０…遊技盤                                ２１…チャッカー
２２…始動チャッカー                        ２３…アタッカー
２４…アウト口                              ２５…プラ枠
３０…裏セット盤                            ３１…遊技盤収容部
５０…球発射装置                            ５１…予備球タンク
５２…賞球払出装置                          ５３…液晶表示ユニット
６０…主制御基板                            ６１…サブ制御基板
６２…払出制御基板                          ６３…電源装置基板
６４…遊技盤中継基板                        ６６…画像制御基板
６７…発射制御基板                          ４００…ガラスユニット
４０１…外枠部材                            ４０１ａ…開口
４０１ｂ…接着部                            ４０１ｃ…内側空間
４０２…除湿部                              ４０３…バルブ孔
４０４…通気孔                              ４０５…ヒンジ軸部
４０６…取付ブラケット部                    ４０７…逆止弁
４０８…乾燥剤収容部                        ４０９…蓋部材
４１０…ペアガラス                          ４１０ａ、４１０ｂ…透明板
【図１】
2007236792.tif 000003
【図２】
2007236792.tif 000004
【図３】
2007236792.tif 000005
【図４】
2007236792.tif 000006
【図５】
2007236792.tif 000007
【図６】
2007236792.tif 000008
【図７】
2007236792.tif 000009
【図８】
2007236792.tif 000010